(57)【特許請求の範囲】
【請求項１】
誘電体層を積層して形成された誘電体素体と、
誘電体素体内の同一平面内に相互に並んでそれぞれ直線状に延びるように配置されて電流が相互に逆方向に流れ得る少なくとも一対の内部電極と、
誘電体素体の何れかの側面に向かって内部電極から各一つのみ引き出される引出部と、
を有した積層型電子部品であって、
少なくとも一対の内部電極が、誘電体層で隔てられつつそれぞれ誘電体素体の厚み方向に沿って複数配置され、
内部電極が直線状に延びる方向に対して直交する方向に、各一つのみ引出部が引き出され且つ、誘電体層を介して隣り合って対向して位置する内部電極の引出部が、誘電体素体の同一側面の相互に隣り合った位置に配置され、
この引出部を介して電流が内部電極に出入りすることで、
誘電体層を介して隣り合って対向して位置する内部電極同士を相互に異なる極性とし且つ、これら内部電極の主要部分間で電流が相互に逆向きに流れ得るようにしたことを特徴とする積層型電子部品。
【請求項２】
誘電体層を積層して形成された誘電体素体と、
誘電体素体内の同一平面内に相互に並んで延びるように配置されて電流が相互に逆方向に流れ得る少なくとも一対の内部電極と、
を有した積層型電子部品であって、
少なくとも一対の内部電極が、誘電体層で隔てられつつそれぞれ誘電体素体の厚み方向に沿って複数配置され、
一対の内部電極が延びる方向に沿って形成された誘電体素体の側面にのみ引き出される複数の引出部を各内部電極がそれぞれ有し、
誘電体素体内の同一平面内に配置された一対の内部電極が引出部の形状を含めて相互に同一形状になるように、各内部電極がそれぞれ形成され、
これらの引出部を介して複数の内部電極の何れかにそれぞれ接続される端子電極が、誘電体素体の同一の側面内に複数設けられて、同一の側面内で隣り合う端子電極同士が相互に異なる内部電極に接続されることを特徴とする積層型電子部品。
【請求項３】
誘電体素体の何れかの側面に向かって引き出される引出部が複数有り、
これらの引出部を介して複数の内部電極の何れかにそれぞれ接続される端子電極が、誘電体素体の同一の側面内に複数設けられ、
同一の側面内で隣り合う端子電極同士が相互に異なる内部電極に接続されることを特徴とする請求項１記載の積層型電子部品。
【発明の詳細な説明】
【０００１】
【発明の属する技術分野】
本発明は、等価直列インダクタンス（ＥＳＬ）をより一層低減した積層型電子部品に係り、特に多端子型積層コンデンサに好適なものである。
【０００２】
【従来の技術】
従来より、電子部品の一種としてのコンデンサが幅広く用いられており、ＬＳＩの電源回路においては、コンデンサの内でもＣＰＵ等のＬＳＩの動作周波数に対応して低ＥＳＬ化された積層セラミックチップコンデンサが用いられるようになっていた。
ここで、この従来の低ＥＳＬ化された多端子型のコンデンサ１１０の外観を図１１に示し、この従来例を基にして以下に従来の積層セラミックチップコンデンサを説明する。
【０００３】
この図１１に示す多端子型コンデンサ１１０の本体部分は、直方体形状の積層体１１２により構成され、この積層体１１２を形成するセラミック素地によって静電容量が得られるようになっている。
そして、この多端子型コンデンサ１１０の内部構造としては図１２に示すものが考えられる。つまり、静電容量が得られるように２つの内部電極１１４、１１６がセラミック素地を介して重なり合う構造とされている。さらに、この内部電極１１４は、積層体１１２が有する４つの側面の内の相互に対向する２つの側面にそれぞれ２つづつ引き出される引出部１１４Ａを有し、また、内部電極１１６は、引出部１１４Ａが引き出されたのと同じ２つの側面にそれぞれ２つづつ引き出される引出部１１６Ａを有している。
【０００４】
つまり、引出部１１４Ａ及び引出部１１６Ａはそれぞれ計４つづつ存在することになる。そして、この従来例では、引出部１１４Ａと接続される端子電極１１８及び、引出部１１６Ａと接続される端子電極１２０が、極性を交互に逆とされつつ図１１に示す多端子型コンデンサ１１０の２つの側面１１２Ａにそれぞれ隣り合って、設置されている。
【０００５】
以上の結果として、隣り合う引出部１１４Ａ、１１６Ａの極性が異なるようになることから、端子電極１１８、１２０から流れ込む高周波電流によって発生する磁束が、これら隣り合う引出部１１４Ａ、１１６Ａ同士で互いに打ち消し合わされて、ＥＳＬが低減されるようになっている。
尚、これらの多端子型積層コンデンサに関する技術を開示した公報として、特開平１１−１４４９９６号公報及び米国特許公報ＵＳＰ５８８０９２５号等が知られている。
【０００６】
【発明が解決しようとする課題】
一方、近年のようにＣＰＵ等のＬＳＩの動作周波数がより一層高い周波数になるのに伴って、コンデンサ等の電子部品に対して一層の低ＥＳＬ化が要求されるようになった。この結果、低ＥＳＬ化された従来のコンデンサであっても、等価直列インダクタンスが大きい為に使用に適さなくなってきた。
本発明は上記事実を考慮し、より一層の低ＥＳＬ化が図られた積層型電子部品を提供することを目的とする。
【０００７】
【課題を解決するための手段】
請求項１による積層型電子部品は、誘電体層を積層して形成された誘電体素体と、
誘電体素体内の同一平面内に相互に並んでそれぞれ直線状に延びるように配置されて電流が相互に逆方向に流れ得る少なくとも一対の内部電極と、
誘電体素体の何れかの側面に向かって内部電極から各一つのみ引き出される引出部と、
を有した積層型電子部品であって、
少なくとも一対の内部電極が、誘電体層で隔てられつつそれぞれ誘電体素体の厚み方向に沿って複数配置され、
内部電極が直線状に延びる方向に対して直交する方向に、各一つのみ引出部が引き出され且つ、誘電体層を介して隣り合って対向して位置する内部電極の引出部が、誘電体素体の同一側面の相互に隣り合った位置に配置され、
この引出部を介して電流が内部電極に出入りすることで、
誘電体層を介して隣り合って対向して位置する内部電極同士を相互に異なる極性とし且つ、これら内部電極の主要部分間で電流が相互に逆向きに流れ得るようにしたことを特徴とする。
【０００８】
請求項１に係る積層型電子部品によれば、誘電体層を積層して形成された誘電体素体内の同一平面内に、少なくとも一対の内部電極が相互に並んでそれぞれ直線状に延びるように配置されているだけでなく、誘電体層で隔てられつつそれぞれ誘電体素体の厚み方向に沿って、これら少なくとも一対の内部電極が複数配置されている。また、誘電体素体の何れかの側面に向かって引出部が内部電極から各一つのみ引き出されているのに伴い、内部電極が直線状に延びる方向に対して直交する方向に、各一つのみ引出部が引き出され且つ、誘電体層を介して隣り合って対向して位置する内部電極の引出部が、誘電体素体の同一側面の相互に隣り合った位置に配置されている。
そして、この引出部を介して電流が内部電極に出入りすることで、誘電体層を介して隣り合って対向して位置する内部電極同士を相互に異なる極性とし且つ、これら内部電極の主要部分間で、電流が相互に逆向きに流れ得るように、電流が引出部側から流れるようにされている。
つまり、本請求項に係る積層型電子部品は、誘電体素体内の同一平面内に少なくとも一対の内部電極が相互に並んで配置されるので、この積層型電子部品への通電の際に、これら内部電極間で電流が相互に逆方向に流れ得るようになる。
これに伴って、内部電極に流れる高周波電流により発生する磁束が互いに打ち消し合うように相殺され、積層型電子部品自体が持つ寄生インダクタンスを少なくすることで、等価直列インダクタンスが低減される。
さらに、本請求項では、誘電体層を介して隣り合って対向して位置する内部電極間で電流が相互に逆向きに流れるようになっている。この為、これら誘電体層を介して隣り合う上下の内部電極が、例えば相互に対向しつつ並列に配置されるコンデンサの電極とされるだけでなく、電流の流れる方向が逆となるので、これら内部電極間でも等価直列インダクタンスが一層低減されるようになる。
【０００９】
請求項２による積層型電子部品は、誘電体層を積層して形成された誘電体素体と、
誘電体素体内の同一平面内に相互に並んで延びるように配置されて電流が相互に逆方向に流れ得る少なくとも一対の内部電極と、
を有した積層型電子部品であって、
少なくとも一対の内部電極が、誘電体層で隔てられつつそれぞれ誘電体素体の厚み方向に沿って複数配置され、
一対の内部電極が延びる方向に沿って形成された誘電体素体の側面にのみ引き出される複数の引出部を各内部電極がそれぞれ有し、
誘電体素体内の同一平面内に配置された一対の内部電極が引出部の形状を含めて相互に同一形状になるように、各内部電極がそれぞれ形成され、
これらの引出部を介して複数の内部電極の何れかにそれぞれ接続される端子電極が、誘電体素体の同一の側面内に複数設けられて、同一の側面内で隣り合う端子電極同士が相互に異なる内部電極に接続されることを特徴とする。
請求項２に係る積層型電子部品によれば、請求項１の積層型電子部品と同様の構成の他に、誘電体素体の何れかの側面に向かって内部電極から引出部が引き出される替わりに、一対の内部電極が延びる方向に沿って形成された誘電体素体の側面にのみ引き出される複数の引出部を各内部電極がそれぞれ有し、誘電体素体内の同一平面内に配置された一対の内部電極が引出部の形状を含めて相互に同一形状になるように、各内部電極がそれぞれ形成されている。
そして、これに合わせて、これらの引出部を介して複数の内部電極の何れかにそれぞれ接続される端子電極が、誘電体素体の同一の側面内に複数設けられていて、同一の側面内で隣り合う端子電極同士が相互に異なる内部電極に接続されるようになっている。
従って、請求項１と同様に、内部電極に流れる高周波電流により発生する磁束が、誘電体素体内の同一平面内の内部電極間で互いに打ち消し合うように相殺されて、等価直列インダクタンスが低減される。さらに、誘電体素体の同一の側面内で隣り合う端子電極同士が相互に異なる内部電極に接続されているので、本請求項に係る積層型電子部品への通電の際に、隣り合う端子電極の極性が相互に異なって交互に正負極に順次なる形で、電流が流され得るようになる。
この結果、複数の引出部でそれぞれ発生する磁束が相互に逆向きに引出部内に流れる電流によって互いに打ち消し合い、等価直列インダクタンスがより一層低減されるようになる。
【００１０】
請求項３に係る積層型電子部品によれば、請求項１の積層型電子部品と同様の構成の他に、誘電体素体の何れかの側面に向かって引き出される引出部が複数有り、これらの引出部を介して複数の内部電極の何れかにそれぞれ接続される端子電極が、誘電体素体の同一の側面内に複数設けられ、同一の側面内で隣り合う端子電極同士が相互に異なる内部電極に接続されるという構成を有している。
【００１１】
従って、誘電体素体の同一の側面内で隣り合う端子電極同士が相互に異なる内部電極に接続されているので、本請求項に係る積層型電子部品への通電の際に、隣り合う端子電極の極性が相互に異なって交互に正負極に順次なる形で、電流が流され得るようになる。
この結果、複数の引出部でそれぞれ発生する磁束が相互に逆向きに引出部内に流れる電流によって互いに打ち消し合い、請求項１の等価直列インダクタンスを低減する効果が一層確実に生じるようになる。
【００１２】
【発明の実施の形態】
以下、本発明に係る積層型電子部品の実施の形態を図面に基づき説明する。
本発明の第１の実施の形態に係る積層型電子部品であるアレイ型の多端子型積層コンデンサ１０を図１から図３に示す。これらの図に示すように、セラミックグリーンシートを複数枚積層した積層体を焼成することで得られた直方体状の焼結体である誘電体素体１２を主要部として、多端子型積層コンデンサ１０が構成されている。
【００１３】
図１に示すこの誘電体素体１２内の所定の高さ位置には、それぞれ面状に形成された内部電極１４及び内部電極１５が、同一平面内で相互に並んで延びるように配置されており、誘電体素体１２内において誘電体層とされるセラミック層１２Ａを隔てたこれら内部電極１４、１５の下方の部分には、同じくそれぞれ面状に形成された内部電極１６及び内部電極１７が、同一平面内で相互に並んで延びるように配置されている。
【００１４】
つまり、セラミック層１２Ａで隔てられた内部電極１４の直下には内部電極１６が配置され、セラミック層１２Ａで隔てられた内部電極１５の直下には内部電極１７が配置されており、それぞれ誘電体素体１２の厚み方向に内部電極が二枚づつ配置された形となっている。そして、同一面内の内部電極１４と内部電極１５との間及び、同じく同一面内の内部電極１６と内部電極１７との間には、それぞれスリット状の隙間が存在している。
【００１５】
また、図３に示すように、内部電極１４の手前側からそれぞれ誘電体素体１２の側面１２Ｂに向かって電極が２箇所づつ引き出されることで、内部電極１４に２つの引出部１４Ａが形成されており、内部電極１５の奥側からそれぞれ誘電体素体１２の側面１２Ｂに向かって電極が２箇所づつ引き出されることで、内部電極１５に２つの引出部１５Ａが形成されている。
【００１６】
さらに、内部電極１６の手前側からそれぞれ誘電体素体１２の側面１２Ｂに向かって電極が２箇所づつ引き出されることで、内部電極１６に２つの引出部１６Ａが形成されており、内部電極１７の奥側からそれぞれ誘電体素体１２の側面１２Ｂに向かって電極が２箇所づつ引き出されることで、内部電極１７に２つの引出部１７Ａが形成されている。
【００１７】
但し、内部電極１６の２つの引出部１６Ａは、内部電極１４の２つの引出部１４Ａと等間隔に配置されているものの引出し位置がずれており、また、内部電極１７の２つの引出部１７Ａは、内部電極１５の２つの引出部１５Ａと等間隔に配置されているものの引出し位置がずれていて、同一の側面１２Ｂに向かって引き出される引出部同士は相互に重ならずに位置している。
以上より、引出部１４Ａ〜１７Ａまで２つづつの計８ヵ所の引出部分が相互に重ならない位置で内部電極１４〜１７からそれぞれ引き出されている。
【００１８】
そして、内部電極１４の引出部１４Ａ及び内部電極１６の引出部１６Ａがこれら内部電極１４、１６の図３の手前側で相互に重ならずに位置しているのに伴って、誘電体素体１２の手前側の側面１２Ｂには、内部電極１４の２つの引出部１４Ａにそれぞれ接続される２つの端子電極２１及び、内部電極１６の２つの引出部１６Ａにそれぞれ接続される２つの端子電極２３が、図２に示すようにそれぞれ配置されている。
従って、隣り合う端子電極２１、２３同士が相互に異なる内部電極１４、１６に順次接続される形で、これら端子電極２１、２３が誘電体素体１２の手前側の側面１２Ｂに配置されており、隣り合う端子電極２１、２３同士が相互に逆の極性で使用可能となる。
【００１９】
さらに、内部電極１５の引出部１５Ａ及び内部電極１７の引出部１７Ａがこれら内部電極１５、１７の図３の奥側で相互に重ならずに位置しているのに伴って、誘電体素体１２の奥側の側面１２Ｂには、内部電極１５の２つの引出部１５Ａにそれぞれ接続される２つの端子電極２２及び、内部電極１７の２つの引出部１７Ａにそれぞれ接続される２つの端子電極２４が、図２に示すようにそれぞれ配置されている。
従って、隣り合う端子電極２２、２４同士が相互に異なる内部電極１５、１７に順次接続される形で、これら端子電極２２、２４が誘電体素体１２の奥側の側面１２Ｂに配置されており、隣り合う端子電極２２、２４同士が相互に逆の極性で使用可能となる。
【００２０】
以上より、本実施の形態では、各内部電極１４〜１７がコンデンサの電極となり、側面１２Ｂに配置された端子電極２１〜２４の内の一つおきの端子電極２１、２２が例えばＣＰＵの電極に接続されると共に、一つおきの端子電極２３、２４が例えば接地側に接続されるように、これら隣り合う端子電極同士が相互に逆の極性で使用されている。
【００２１】
そしてこのように使用される場合、これら一対の内部電極１４、１５間及び一対の内部電極１６、１７間で電流が相互に逆方向に流れるようになる。つまり、内部電極が延びる方向に電流が流れるが、図３の矢印で示すように内部電極１４、１６では右側に向かって電流が流れ、内部電極１５、１７では左側に向かって電流が流れるようになっている。
【００２２】
次に、本実施の形態に係る多端子型積層コンデンサ１０の作用を説明する。
セラミック等の誘電体層を積層して形成された誘電体素体１２内の同一平面内に一対の内部電極１４、１５が相互に並んで延びるように配置されると共に、同じく一対の内部電極１６、１７が相互に並んで延びるように配置されている。さらに、誘電体素体１２の側面１２Ｂに向かってそれぞれ複数の引出部１４Ａ〜１７Ａがこれら内部電極１４〜１７から引き出されている。この為、セラミック層１２Ａを介して隣り合う上下の内部電極が、相互に対向しつつ並列に配置されるコンデンサの電極とされている。
【００２３】
さらに、２つづつの引出部１４Ａ、１６Ａを介して２つの内部電極１４、１６に個々に接続される計４個の端子電極２１、２３が、誘電体素体１２の同一の側面１２Ｂ内に設けられている。また、２つづつの引出部１５Ａ、１７Ａを介して２つの内部電極１５、１７に個々に接続される計４個の端子電極２２、２４が、誘電体素体１２の同一の側面１２Ｂ内に設けられている。
【００２４】
つまり、本実施の形態に係る多端子型積層コンデンサ１０では、誘電体素体１２内の同一平面内に一対の内部電極１４、１５が相互に並んで配置されると共に、同じく同一平面内に一対の内部電極１６、１７が相互に並んで配置されている。そして、この多端子型積層コンデンサ１０への通電の際に、同一平面内の内部電極に同じ極性で電流を流すのに伴って、図３の矢印で示すようにこれら内部電極１４、１５間及び内部電極１６、１７間で電流が相互に逆方向に流れ得るようになる。
以上より、内部電極１４〜１７に流れる高周波電流によって、誘電体素体１２内の同一平面内に位置する一対の内部電極でそれぞれ発生する磁束が互いに打ち消し合うように相殺されて、多端子型積層コンデンサ１０自体が持つ寄生インダクタンスを少なくすることで、等価直列インダクタンスが低減される。
【００２５】
さらに、本実施の形態に係る多端子型積層コンデンサ１０では、誘電体素体１２の同一の側面１２Ｂ内で隣り合う端子電極同士が相互に異なる内部電極に接続されているので、通電の際に隣り合う端子電極の極性が相互に異なって交互に正負極に順次なる形で、電流が流れ得るようになる。
この結果、複数の引出部１４Ａ〜１７Ａでそれぞれ発生する磁束が相互に逆向きに引出部１４Ａ〜１７Ａ内に流れる電流によって互いに打ち消し合い、等価直列インダクタンスを低減する効果が一層高まるようになる。
【００２６】
次に、本発明に係る積層型電子部品の第２の実施の形態を図４から図６に基づき説明する。尚、第１の実施の形態で説明した部材と同一の部材には同一の符号を付して、重複した説明を省略する。
図４に示すように本実施の形態の誘電体素体１２内における所定の高さ位置には、それぞれ面状に形成された内部電極３１及び内部電極３２が、同一平面内で相互に並んで延びるように配置されており、誘電体素体１２内においてセラミック層１２Ａを隔てたこれら内部電極３１、３２の下方の部分には、同じくそれぞれ面状に形成された内部電極３３及び内部電極３４が、同一平面内で相互に並んで延びるように配置されている。
【００２７】
さらに、セラミック層１２Ａを隔てたこれら内部電極３３、３４の下方の部分には、同じくそれぞれ面状に形成された内部電極３５及び内部電極３６が、同一平面内で相互に並んで延びるように配置されており、これら内部電極３５、３６の下方の部分には、同じくそれぞれ面状に形成された内部電極３７及び内部電極３８が、同一平面内で相互に並んで延びるように配置されている。
つまり、本実施の形態では、２つづつの計８個の内部電極を有する構造になっている。
【００２８】
一方、図６に示すように、内部電極３１の手前側の左端部から誘電体素体１２の側面１２Ｂに向かって電極が引き出されることで、内部電極３１に１つの引出部３１Ａが形成されており、内部電極３２の奥側の左寄りの部分から誘電体素体１２の側面１２Ｂに向かって電極が引き出されることで、内部電極３２に１つの引出部３２Ａが形成されている。また、内部電極３３の手前側の左寄りの部分から誘電体素体１２の側面１２Ｂに向かって電極が引き出されることで、内部電極３３に１つの引出部３３Ａが形成されており、内部電極３４の奥側の左端部から誘電体素体１２の側面１２Ｂに向かって電極が引き出されることで、内部電極３４に１つの引出部３４Ａが形成されている。
【００２９】
他方、内部電極３５の手前側の右寄りの部分から誘電体素体１２の側面１２Ｂに向かって電極が引き出されることで、内部電極３５に１つの引出部３５Ａが形成されており、内部電極３６の奥側の右端部から誘電体素体１２の側面１２Ｂに向かって電極が引き出されることで、内部電極３６に１つの引出部３６Ａが形成されている。また、内部電極３７の手前側の右端部から誘電体素体１２の側面１２Ｂに向かって電極が引き出されることで、内部電極３７に１つの引出部３７Ａが形成されており、内部電極３８の奥側の右寄りの部分から誘電体素体１２の側面１２Ｂに向かって電極が引き出されることで、内部電極３８に１つの引出部３８Ａが形成されている。
【００３０】
さらに、図５に示す誘電体素体１２の手前側の側面１２Ｂには、引出部３１Ａに接続される端子電極４１、引出部３３Ａに接続される端子電極４３、引出部３５Ａに接続される端子電極４５及び、引出部３７Ａに接続される端子電極４７が、左から順に配置されている。また、誘電体素体１２の奥側の側面１２Ｂには、引出部３４Ａに接続される端子電極４４、引出部３２Ａに接続される端子電極４２、引出部３８Ａに接続される端子電極４８及び、引出部３６Ａに接続される端子電極４６が、左から順に配置されている。
【００３１】
以上より、本実施の形態では、各内部電極３１〜３８がコンデンサの電極となり、側面１２Ｂに配置された端子電極４１〜４８の内の一つおきの端子電極４１、４５、４４、４８が例えばＣＰＵの電極に接続されると共に、一つおきの端子電極４２、４６、４３、４７が例えば接地側に接続されるように、これら隣り合う端子電極同士が相互に逆の極性で使用される。
【００３２】
この結果、第１の実施の形態では同一平面内の内部電極同士は同極で使用される形になっていたが、本実施の形態では、同一平面内の内部電極同士は異極で使用される形になる。
そしてこのように使用される場合、一対の内部電極３１、３２間、一対の内部電極３３、３４間、一対の内部電極３５、３６間及び、一対の内部電極３７、３８間で、電流が相互に逆方向に流れるようになる。
【００３３】
これに伴って、セラミック層１２Ａで隔てられつつそれぞれ誘電体素体１２の手前側で厚み方向に沿って配置された内部電極３１、３３、３５、３７の内の一つおきの内部電極３１、３５が例えば＋極になると同時に一つおきの内部電極３３、３７が例えば−極になるときには、図６の矢印で示す向きのように電流が流れることになる。
【００３４】
同様にセラミック層１２Ａで隔てられつつそれぞれ誘電体素体１２の奥側で厚み方向に沿って配置された内部電極３２、３４、３６、３８の内の一つおきの内部電極３４、３８が例えば＋極になると同時に一つおきの内部電極３２、３６が例えば−極になるときには、図６の矢印で示す向きのように電流が流れることになる。
つまり、本実施の形態では、セラミック層１２Ａを介して隣り合う上下の内部電極間においても相互に逆向きに電流が流れる形になっている。
【００３５】
以上の結果、内部電極３１〜３８に流れる高周波電流によって、誘電体素体１２内の同一平面内に一対の内部電極に発生する磁束が互いに打ち消し合うように相殺されるだけでなく、セラミック層１２Ａを介して隣り合う上下の内部電極間でも、電流の流れる方向が相互に逆となるので、磁束が互いに打ち消し合うように相殺されて、多端子型積層コンデンサ１０自体が持つ寄生インダクタンスを少なくすることで、等価直列インダクタンスがより一層低減される。
【００３６】
さらに、本実施の形態に係る多端子型積層コンデンサ１０でも、誘電体素体１２の同一の側面１２Ｂ内で隣り合う端子電極同士が相互に異なる内部電極に接続されているので、複数の引出部３１Ａ〜３８Ａでそれぞれ発生する磁束が相互に逆向きに引出部３１Ａ〜３８Ａ内に流れる電流によって互いに打ち消し合って、等価直列インダクタンスが低減される。
【００３７】
次に、本発明に係る積層型電子部品の第３の実施の形態を図７及び図８に基づき説明する。尚、第１の実施の形態及び第２の実施の形態で説明した部材と同一の部材には同一の符号を付して、重複した説明を省略する。
図８に示すように本実施の形態では、第２の実施の形態の内部電極３１から内部電極３８までの８つの内部電極が順序が異なるものの同様に配置されている。また、内部電極３３、３４の上側に相互に並んで延びるように内部電極５１、５２が配置されており、内部電極３７、３８の下側に相互に並んで延びるように内部電極５３、５４が配置されていて、計１２個の内部電極を有する構造になっている。
【００３８】
そして、内部電極５２には、左側に引き出される引出部５２Ａが形成されていて、これに対応して図７に示す誘電体素体１２の左側の側面１２Ｃには、この引出部５２Ａに接続される端子電極５５が配置されている。また、内部電極５１には、手前側の左端部から誘電体素体１２の側面１２Ｂに向かって引き出される引出部５１Ａが形成されていて、これに対応して図７に示す誘電体素体１２の手前側の側面１２Ｂで、この引出部５１Ａが端子電極４１に接続されている。
【００３９】
さらに、内部電極５３には、右側に引き出される引出部５３Ａが形成されていて、これに対応して図７に示す誘電体素体１２の右側の側面１２Ｃには、この引出部５３Ａに接続される端子電極５６が配置されている。また、内部電極５４には、奥側の右端部から誘電体素体１２の側面１２Ｂに向かって引き出される引出部５４Ａが形成されていて、これに対応して図７に示す誘電体素体１２の奥側の側面１２Ｂで、この引出部５４Ａが端子電極４６に接続されている。
そして、これら内部電極５１と内部電極５２の間及び、内部電極５３と内部電極５４の間には、直線状の隙間がそれぞれ形成されている。
【００４０】
従って、本実施の形態も第１の実施の形態及び第２の実施の形態と同様に等価直列インダクタンスが低減される作用を奏するが、内部電極の枚数が多い分だけ静電容量が大きくなると共に、左右の側面１２Ｃを利用することで、更に多くの端子電極を配置できるようになって省スペース化が図られることになる。
【００４１】
次に、本発明に係る積層型電子部品の第４の実施の形態を図９に基づき説明する。尚、第１の実施の形態及び第２の実施の形態で説明した部材と同一の部材には同一の符号を付して、重複した説明を省略する。
図９に示すように本実施の形態では、第２の実施の形態と同様に内部電極３１〜３８までの８個の内部電極を有しているが、内部電極３２、３４、３６、３８の引出部の位置が第２の実施の形態と異なっている。
【００４２】
つまり、内部電極３２の引出部３２Ａは、内部電極３１の引出部３１Ａの位置に合わせるように、奥側の左端部から誘電体素体１２の側面１２Ｂに向かって引き出されており、内部電極３４の引出部３４Ａは、内部電極３３の引出部３３Ａの位置に合わせるように、奥側の左寄りの部分から誘電体素体１２の側面１２Ｂに向かって引き出されている。
また、内部電極３６の引出部３６Ａは、内部電極３５の引出部３５Ａの位置に合わせるように、奥側の右寄りの部分から誘電体素体１２の側面１２Ｂに向かって引き出されており、内部電極３８の引出部３８Ａは、内部電極３７の引出部３７Ａの位置に合わせるように、奥側の右端部から誘電体素体１２の側面１２Ｂに向かって引き出されている。
【００４３】
そして、誘電体素体１２の手前側及び奥側の側面１２Ｂには、これら内部電極３１〜３８の引出部３１Ａ〜３８Ａにそれぞれ接続される８つの端子電極が、それぞれ配置されることになる。従って、これら端子電極は、誘電体素体１２の同一の側面１２Ｂ内に複数設けられているものの、同一の側面１２Ｂ内で隣り合う端子電極同士が相互に異なる内部電極３１〜３８に接続されることになる。
以上の構造より、本実施の形態も第１の実施の形態及び第２の実施の形態と同様に等価直列インダクタンスが低減される作用を奏することになる。
【００４４】
次に、本発明に係る積層型電子部品の第５の実施の形態を図１０に基づき説明する。尚、第１の実施の形態及び第２の実施の形態で説明した部材と同一の部材には同一の符号を付して、重複した説明を省略する。
図１０に示すように本実施の形態では、第２の実施の形態と同様に、内部電極３１〜３８までの８個の内部電極を有しているが、内部電極３３、３４、３７、３８がそれぞれクランク状に形成されている点が第２の実施の形態と異なっている。
【００４５】
そして、誘電体素体１２の手前側の側面１２Ｂに向かって延びる引出部が、内部電極３１の引出部３１Ａ、内部電極３３の引出部３３Ａ、内部電極３７の引出部３７Ａ及び、内部電極３５の引出部３５Ａの順番で、左から順に配置されている。また、誘電体素体１２の奥側の側面１２Ｂに向かって延びる引出部が、内部電極３２の引出部３２Ａ、内部電極３４の引出部３４Ａ、内部電極３８の引出部３８Ａ及び、内部電極３６の引出部３６Ａの順番で、右から順に配置されている。
【００４６】
さらに、誘電体素体１２の手前側及び奥側の側面１２Ｂには、これら内部電極３１〜３８の引出部３１Ａ〜３８Ａにそれぞれ接続される８つの端子電極が、それぞれ配置されることになる。従って、これら端子電極は、誘電体素体１２の同一の側面１２Ｂ内に複数設けられているものの、同一の側面１２Ｂ内で隣り合う端子電極同士が相互に異なる内部電極に接続されることになる。
以上の構造より、本実施の形態も第１の実施の形態及び第２の実施の形態と同様に等価直列インダクタンスが低減される作用を奏することになる。
【００４７】
次に、実施の形態に係る多端子型積層コンデンサ１０と他のコンデンサとの間での等価直列インダクタンス値を比較する試験を行った結果を下記に示す。
尚、ここで比較される他のコンデンサとして、低ＥＳＬ化された多端子型積層コンデンサである図１１及び図１２に示す従来例のコンデンサを試験した。これに対して、実施の形態に係る多端子型積層コンデンサ１０として、第１実施の形態のものを試験した。尚、試験に用いた各コンデンサは例えば３２１６タイプで静電容量が１μＦとされるものである。ここで３２１６タイプとは、縦が３．２ｍｍで横が１．６ｍｍの大きさのものを言う。
【００４８】
この試験の結果、従来例の等価直列インダクタンスは１０５ｐＨであるのに対して、第１の実施の形態に係る多端子型積層コンデンサ１０の等価直列インダクタンスは７６ｐＨであった。つまり、実施の形態の多端子型積層コンデンサ１０の等価直列インダクタンスが従来例のコンデンサに比較して明らかに小さくなったことが確認された。
【００４９】
尚、上記実施の形態に係る多端子型積層コンデンサ１０では、同一の面内に一対の内部電極を有する構造としたが、同一の面内における内部電極の枚数はこれらの枚数に限定されず、さらに多くの枚数としても良い。
【００５０】
【発明の効果】
本発明によれば、より一層の低ＥＳＬ化が図られた積層型電子部品を提供することが可能となる。
【図面の簡単な説明】
【図１】本発明の第１の実施の形態に係る多端子型積層コンデンサを示す断面図であって、図２の１−１矢視線断面に対応する図である。
【図２】本発明の第１の実施の形態に係る多端子型積層コンデンサを示す斜視図である。
【図３】第１の実施の形態の多端子型積層コンデンサの内部電極の構造を示す分解斜視図である。
【図４】本発明の第２の実施の形態に係る多端子型積層コンデンサを示す断面図であって、図５の４−４矢視線断面に対応する図である。
【図５】本発明の第２の実施の形態に係る多端子型積層コンデンサを示す斜視図である。
【図６】第２の実施の形態の多端子型積層コンデンサの内部電極の構造を示す分解斜視図である。
【図７】本発明の第３の実施の形態に係る多端子型積層コンデンサを示す斜視図である。
【図８】第３の実施の形態の多端子型積層コンデンサの内部電極の構造を示す分解斜視図である。
【図９】第４の実施の形態の多端子型積層コンデンサの内部電極の構造を示す分解斜視図である。
【図１０】第５の実施の形態の多端子型積層コンデンサの内部電極の構造を示す分解斜視図である。
【図１１】従来例の多端子型積層コンデンサを示す斜視図である。
【図１２】従来例の多端子型積層コンデンサの分解斜視図である。
【符号の説明】
１０      多端子型積層コンデンサ
１２      誘電体素体
１２Ａ    セラミック層
１４、１５、１６、１７      内部電極
１４Ａ、１５Ａ、１６Ａ、１７Ａ      引出部
２１、２２、２３、２４      端子電極
【図１】
0003930245.tif 000002
【図２】
0003930245.tif 000003
【図３】
0003930245.tif 000004
【図４】
0003930245.tif 000005
【図５】
0003930245.tif 000006
【図６】
0003930245.tif 000007
【図７】
0003930245.tif 000008
【図８】
0003930245.tif 000009
【図９】
0003930245.tif 000010
【図１０】
0003930245.tif 000011
【図１１】
0003930245.tif 000012
【図１２】
0003930245.tif 000013